(57)【要約】【課題】  本考案は、確実かつ強固にマーカを着脱自在に保持可能なゴルフシューズを提供する。  【解決手段】    本考案のゴルフシューズ１０は、シューズ本体２と、シューズ本体２に埋め込まれて取り付けられているマーカ取付体４と、マーカ取付体４に重ねて配置されるマーカ６と、を具備し、マーカ６、マーカ取付体４の一方が磁性体であり、かつ当該マーカ６、マーカ取付体４の他方が当該磁性体と逆極性の磁性体又は金属体である。【選択図】      図１
0003110639.tif 000002
【実用新案登録請求の範囲】
【請求項１】
シューズ本体と、
当該シューズ本体に埋め込まれて取り付けられているマーカ取付体と、
当該マーカ取付体に重ねて配置されるマーカと、
を具備し、
前記マーカ、マーカ取付体の一方が磁性体であり、かつ当該マーカ、マーカ取付体の他方が当該磁性体と逆極性の磁性体又は金属体であることを特徴とするゴルフシューズ。
【請求項２】
当該マーカ取付体は、周縁の一部に開口を有する溝部が形成されており、
当該マーカは、当該溝部と嵌合する突状体が設けられていることを特徴とする請求項１に記載のゴルフシューズ。
【請求項３】
前記溝部は、Ｕ字状に形成されていることを特徴とする請求項２に記載のゴルフシューズ。
【請求項４】
前記溝部の開口は、当該突状体の直径の幅よりも広いことを特徴とする請求項２、又は３に記載のゴルフシューズ。
【請求項５】
前記溝部の開口は、当該突状体の直径の幅よりも狭いことを特徴とする請求項２、又は３に記載のゴルフシューズ。
【考案の詳細な説明】
【技術分野】
【０００１】
本考案は、ゴルフシューズに関するものであり、具体的には、グリーンに停止したゴルフボールの代わりに載置されるマーカを備えたゴルフシューズに関する。
【背景技術】
【０００２】
従来、マーカとして金属製で円盤状（コイン状）のものが使用されている。また、当該マーカを保持するものとして、帽子の鍔、衣服の襟、ズボンのバンドなどに取り付けられるクリップを備えた磁性体を有する楕円形状の板状のマーカ用クリップが使用されている。
【０００３】
また、当該マーカの一方の面は磁性体を有しており、当該マーカを当該マーカ用クリップの磁性体を有する板状部分に磁力で着脱可能に保持させた状態で、クリップにより帽子の鍔、衣服の襟、ズボンのバンドなどに取り付けられている。
【考案の開示】
【考案が解決しようとする課題】
【０００４】
しかし、マーカは、単に磁力でクリップに保持されているだけなので、プレイヤーが走ったり、また、何か物にマーカがこすれたりすると簡単にマーカ用クリップから脱落してしまうという問題がある。
【０００５】
そこで本考案は、確実かつ強固にマーカを保持するとともに、当該マーカを着脱可能なゴルフシューズを提供することを目的とする。
【課題を解決するための手段】
【０００６】
以下、本考案について説明する。なお、本考案の理解を容易にするために添付図面の参照符号を括弧書きにて付記するが、それにより本考案が図示の形態に限定されるものではない。
【０００７】
請求項１に記載のゴルフシューズ（１０）は、シューズ本体（２）と、当該シューズ本体に埋め込まれて取り付けられているマーカ取付体（４）と、当該マーカ取付体に重ねて配置されるマーカ（６）と、を具備し、前記マーカ、マーカ取付体の一方が磁性体であり、かつ当該マーカ、マーカ取付体の他方が当該磁性体と逆極性の磁性体又は金属体であることを特徴とする。
【考案を実施するための最良の形態】
【０００８】
以下、本考案であるゴルフシューズに係る実施の形態について詳細に説明する。図１はゴルフシューズを示し、図１（ａ）ゴルフシューズ本体の外観図、図１（ｂ）はマーカの取付状態図、図２はマーカの構造図、図３はマーカ取付体の形状を示す図、図４はマーカ取付体の他の形状を示し、図４（ａ）は実施例１、図４（ｂ）は実施例２、図５はマーカの取付状態の他の実施例である。なお、以下の説明では図１の上下左右方向を便宜的にゴルフ用マーカの上下左右として表現する。
【０００９】
図１に示すように、本考案のゴルフシューズ１０は、紐２ａを備えたゴルフシューズ本体２と、当該ゴルフシューズ本体２の外側側面の上方に埋め込まれて取り付けられている横長楕円形状のマーカ取付体４と、当該マーカ取付体４に着脱自在に重ねて配置されるマーカ６と、を備えている。また、マーカ取付体４、マーカ６の一方が磁性体を有しており、かつマーカ取付体４、マーカ６の他方が他の極性を有する磁性体又は金属体からなり、当該マーカ６はマーカ取付体４の上面に磁力により着脱自在に保持されている。
【００１０】
マーカ６は、横長楕円形状であって板状の基体６ａと、当該基体６ａの径よりも小径の磁性体を有する突状体６ｂと、を備えている。当該突状体６ｂは、当該基体６ａの底面中央部から下方垂直方向に突設するように設けられ、当該基体６ａと一体的に形成されている。
【００１１】
図３に示すように、マーカ用取付体４は、金属製であり、周縁の一部に開口５ａを有する嵌合部５が形成されている当該マーカ６と略同径状の基体７を備えている。また、当該嵌合部５には、マーカ６の突状体６ｂが嵌合する。
【００１２】
また、当該嵌合部５は、径方向に略Ｕ字状に形成されている。好適には、当該嵌合部５の開口５ａは、マーカ６の突状体６ｂの直径Ｓ１の幅よりも狭く形成されている。このようにすれば、マーカ取付体４にマーカ６を装着する場合において、当該マーカ６の突状体６ｂが嵌合部５に嵌合されつつ、磁力によりマーカ６がマーカ取付体４の上面に保持されるので、マーカ６をマーカ取付体４に確実に保持でき、脱落しにくい構造にすることができる。
【００１３】
なお、本実施形態の嵌合部５は、本願の溝部として機能し、本実施形態のゴルフシューズ本体２は、本願のシューズ本体として機能する。
【００１４】
次に、本考案のゴルフシューズの使用形態について図１を用いて説明する。なお、以下に説明するマーカ６とは、ゴルフ場において、ゴルフボールの代わりに芝上に載置されて使用されるものである。
【００１５】
図示のように、マーカ６は、ゴルフシューズ本体２のマーカ取付体４に着脱自在に取り付けられている。ゴルファーは、プレイ中はマーカ６をマーカ取付体４の嵌合部５に嵌合させつつ、磁力により当該マーカ６を当該マーカ取付体４に保持させておく。
【００１６】
ゴルファーがマーカ６を使用する場合には、ゴルファーの手で当該マーカ取付体４に保持されているマーカ６を嵌合部５から取り外す。また、マーカ６をマーカ取付体４に戻すときには、ゴルファーの手で、当該マーカ６の突状体６ｂをマーカ取付体４の嵌合部５に嵌合させることで磁力により当該マーカ６を当該マーカ取付体４に保持させておく。
【００１７】
このようにすれば、マーカ６がマーカ取付体４の嵌合部５との嵌合と磁力により当該マーカ取付体４に保持されるので、ゴルフのプレイ中に走ったりした場合でも、マーカ６がマーカ取付体４から簡単に脱落することがなく安心してプレイすることが可能となる。また、マーカ４はシューズ本体の表面とほぼ平坦に当該マーカ取付体４に取り付けられているため、マーカ６が何らかの物とこすれたりした場合でも、マーカ６がマーカ取付体４から簡単に脱落しないので脱落によるマーカ２の紛失を防止できる。
【００１８】
また、図４（ａ）に示すように、マーカ取付体４の嵌合部５は略Ｕ字状に形成されており、当該嵌合部５の開口９ａは、マーカ６の突状体６ｂの直径Ｓ２の幅と略同等（少し幅広）に形成されていても構わない。さらに、図４（ｂ）に示すように、マーカ取付体４の嵌合部５の開口９ａは、マーカ６の突状体６ｂの直径Ｓ２の幅よりも広く形成されていても構わない。
【００１９】
また、図５に示すように、マーカ６をマーカ取付体４から着脱する際に、当該マーカ６をマーカ取付体４の表面を略スライド可能に着脱できるように、当該マーカ取付体４がゴルフシューズ本体２に埋め込まれているとよい。このようにすれば、マーカ取付体４の上面を滑らせながらマーカ６をマーカ取付体４の嵌合部５に挿入でき、当該マーカ６をマーカ取付体４に容易に取り付けることができるとともに、当該マーカ６をマーカ取付体４の所定の位置に容易に位置決めすることができる。また、当該マーカ６は、突状体６ｂが嵌合部５に嵌合されつつ、磁力によりマーカ取付体４の上面に保持されるので、マーカ６をマーカ取付体４に確実に保持でき、脱落しにくい構造にすることができる。
【００２０】
なお、本実施形態では、マーカ６側が磁性体を有し、マーカ取付体４側が金属体であるが、マーカ６側とマーカ取付体４側とが異なる極性を有する磁性体を有するようにしてもよいし、マーカ６側が金属体であって、マーカ取付体４側が磁性体であっても構わない。要は、マーカ取付体４の嵌合部５にマーカ６の突状体６ｂが嵌合した時に、当該マーカ取付体４にマーカ６が磁力によって着脱可能にくっつけばよい。また、マーカ取付体４、及びマーカ６の形状は、長円形、矩形、その他の多角形であってもよく、磁性体は、マーカ取付体４、マーカ６の全面であっても、嵌合部５周縁や突状体６ｂの部分のみであっても構わない。また、マーカ取付体４、及びマーカ６の材質は、真鍮、亜鉛、若しくはアルミニウム製などが考えられるが、磨耗などによる外観の低下防止の観点から、真鍮製が有利である。
【図面の簡単な説明】
【００２１】
【図１】本考案のゴルフシューズを示し、図１（ａ）ゴルフシューズ本体の外観図、図１（ｂ）はマーカの取付状態図である。
【図２】マーカの構造図である。
【図３】マーカ取付体の形状を示す図である。
【図４】マーカ取付体の他の形状を示し、図４（ａ）は実施例１、図４（ｂ）は実施例２である。
【図５】マーカの取付状態の他の実施例である。
【符号の説明】
【００２２】
２  ゴルフシューズ本体
４  マーカ取付体
６  マーカ
１０  ゴルフシューズ
【図１】
0003110639.tif 000003
【図２】
0003110639.tif 000004
【図３】
0003110639.tif 000005
【図４】
0003110639.tif 000006
【図５】
0003110639.tif 000007